(57)【特許請求の範囲】
【請求項１】
浴槽と、風呂加熱缶体と、該風呂加熱缶体へ前記浴槽の水を循環させる追い焚き循環路及び循環ポンプと、温水または非加熱水を前記浴槽へ自動落とし込みする給湯器と、前記追い焚き循環路に設けられる浴槽水位センサ及び水流センサと、前記給湯器から浴槽への自動落とし込み路に設けられる流量センサとを有する風呂設備の自動試運転装置であって、自動試運転指令が有ると、先ず前記循環ポンプを一定時間駆動させて、浴槽内に追い焚き循環路へ循環することができる水位以上の残水が有るか否かを判定し、有りの場合には試運転不可表示を行い、否の場合には更に前記給湯器による浴槽への落とし込みを開始させ、浴槽の循環金具より少し上の水位になるような予め定めた一定水量の落とし込みを行いながら、浴槽水位センサの検出値に変化が生じるのを監視し、前記一定水量を落とし込んでも浴槽水位センサの検出値に変化が生じない場合には、さらに循環判定を行い、この循環判定によっても水流を検出しない場合には試運転不良表示を行うコントローラを設けたことを特徴とする風呂設備の自動試運転装置。
【請求項２】
浴槽の循環金具より少し上の水位になるような予め定めた一定水量の落とし込みの開始後に、前記浴槽水位センサの検出値に変化が生じた場合又は浴槽水位センサの検出値には変化が生じなかったが循環判定で水流を検出した場合には、前記循環金具より少し上になったとされる水位に対応する浴槽水位センサの検出値を基準水位として得、さらに落とし込みを続けて、その後予め定めた最大水量以下で且つ予め定めた一定の最小水量以上の範囲で予め定めた設定水位を検出した場合には、試運転完了表示を行うと共に前記検出値を基準水位として記憶するようにし、前記最小水量未満で前記設定水位を検出した場合には試運転完了表示のみを行い、前記最大水量を越えても設定水位を検出しない場合には試運転不良表示を行うコントローラを設けたことを特徴とする請求項１に記載の風呂設備の自動試運転装置。
【発明の詳細な説明】
【０００１】
【産業上の利用分野】
本発明は風呂設備の自動試運転装置に関し、詳しくは浴槽に自動落とし込みを行うための試運転を自動的に行う装置に関する。
【０００２】
【従来の技術】
従来より、浴槽水を風呂加熱缶体へ循環させて追い焚きを行うようにした風呂設備が提供されており、また前記追い焚きのための循環路の途中に自動落とし込み給湯路を接続することで、浴槽水位を設定することで自動的にその水位まで落とし込みを行うことができる自動落とし込み給湯機能を備えた風呂設備が提供されている。
【０００３】
【発明が解決しようとする課題】
ところが上記従来の風呂設備においては、その風呂設備を設置施工後に試運転を行う必要があるが、従来は作業者自らが手動で水を落とし込み、その状況を逐一観察して配管の漏れや、自動落とし込みがうまく行われ得るかを点検し、また基準となる水位を設定する等の作業を行わなければならず、人手と手間と熟練を必要とする作業であった。
【０００４】
そこで本発明は、上記従来の装置における欠点を解消し、風呂設備の水漏れの有無や浴槽への自動落とし込みが適切に行えるようにするための試運転作業を、自動的に行うことができる風呂設備の自動試運転装置の提供を目的とする。
【０００５】
【課題を解決するための手段】
上記目的を達成するため、本発明の風呂設備の自動試運転装置は、浴槽と、風呂加熱缶体と、該風呂加熱缶体へ前記浴槽の水を循環させる追い焚き循環路及び循環ポンプと、温水または非加熱水を前記浴槽へ自動落とし込みする給湯器と、前記追い焚き循環路に設けられる浴槽水位センサ及び水流センサと、前記給湯器から浴槽への自動落とし込み路に設けられる流量センサとを有する風呂設備の自動試運転装置であって、自動試運転指令が有ると、先ず前記循環ポンプを一定時間駆動させて、浴槽内に追い焚き循環路へ循環することができる水位以上の残水が有るか否かを判定し、有りの場合には試運転不可表示を行い、否の場合には更に前記給湯器による浴槽への落とし込みを開始させ、浴槽の循環金具より少し上の水位になるような予め定めた一定水量の落とし込みを行いながら、浴槽水位センサの検出値に変化が生じるのを監視し、前記一定水量を落とし込んでも浴槽水位センサの検出値に変化が生じない場合には、さらに循環判定を行い、この循環判定によっても水流を検出しない場合には試運転不良表示を行うコントローラを設けたことを第１の特徴としている。
また本発明の風呂設備の自動試運転装置は、上記第１の特徴に加えて、浴槽の循環金具より少し上の水位になるような予め定めた一定水量の落とし込みの開始後に、前記浴槽水位センサの検出値に変化が生じた場合又は浴槽水位センサの検出値には変化が生じなかったが循環判定で水流を検出した場合には、前記循環金具より少し上になったとされる水位に対応する浴槽水位センサの検出値を基準水位として得、さらに落とし込みを続けて、その後予め定めた最大水量以下で且つ予め定めた一定の最小水量以上の範囲で予め定めた設定水位を検出した場合には、試運転完了表示を行うと共に前記検出値を基準水位として記憶するようにし、前記最小水量未満で前記設定水位を検出した場合には試運転完了表示のみを行い、前記最大水量を越えても設定水位を検出しない場合には試運転不良表示を行うコントローラを設けたことを第２の特徴としている。
【０００６】
【作用】
上記本発明の第１の特徴によれば、作業者が風呂設備の設置施工を終えた後、コントローラやリモコン等に設けられた自動試運転スイッチをオンすることで、自動試運転指令が出され、試運転が開始される。この試運転は、先ずコントローラによって、前記循環ポンプが一定時間駆動せられて、浴槽内に追い焚き循環路へ循環することができる水位以上の残水が有るか否かが判定される。有りの場合には、浴槽内に既に水が多く入り過ぎていることから、コントローラによって試運転不可表示がなされる。よってこの場合には、作業者等は浴槽内の残水を排出した後、再度自動試運転スイッチをオンすることになる。一方、前記判定で水位が循環可能水位未満、即ち否と判定された場合には、コントローラによって、給湯器による温水若しくは非加熱水の浴槽への落とし込みが開始されて、浴槽水位センサの検出値の変化が監視される。そして浴槽の循環金具よりも少し上の水位となるような水量として予め定めた一定水量が落とし込まれても、前記浴槽水位センサの検出値に変化が生じない場合には、さらにコントローラにより循環判定が行われ、この循環判定においても追い焚き循環路の水流センサが水流を検出しない場合には、試運転不良の表示がなされる。この試運転不良表示によって、主として水漏れ不良、水流センサ不良等が推定される。
上記本発明の第２の特徴によれば、前記第１の特徴による作用に加えて、落とし込み開始後、浴槽の循環金具より少し上の水位になるような水量として予め定めた一定水量の落とし込み量に達するまでに、前記浴槽水位センサの検出値に変化が生じた場合、又は浴槽水位センサの検出値には変化が生じなかったが循環判定で水流を検出した場合には、前記循環金具より少し上になったとされる水位に対応する浴槽水位センサの検出値が基準水位として取得される。そしてさらに落とし込みが続けられ、予め定められた最大水量以下で且つ予め定められた一定の最小水量以上の範囲で予め定められた設定水位を検出した場合には、試運転完了表示が行われると共に前記検出値が基準水位として記憶される。また前記最小水量未満で前記設定水位を検出した場合には試運転完了表示のみが行われる。一方、前記最大水量を越えても設定水位を検出しない場合には試運転不良表示が行われる。
前記予め定めた最大水量とは、例えば浴槽の内容量に対応する水量として予め定めることができる。このような水量が落としこまれても浴槽水位が設定水位にならない主たる原因は、水漏れしているか、浴槽水位センサが故障していると推定することができる。
また前記予め定めた設定水位とは、例えば浴槽水位として入浴に適した充分な水位として予め定めることができる。
前記予め定めた一定の最小水量とは、その様な水量を落とし込むだけでは到底設定水位にはならないような水量として予め定めることができる。
最大水量以下で最小水量以上の水量で設定水位を検出する場合には、予定の水量で予定の設定水位に達したと判断することができるので、前記循環金具より少し上になったとされる水位に対応する浴槽水位センサの検出値も、実際に循環金具よりも少し上の水位を現すものとしてほぼ正しいと判断することができるので、この検出値を基準水位として記憶しておくことによって、以後この基準水位を用いて必要水位への自動落とし込みを容易に行うことができる。
【０００７】
【実施例】
以下に本発明を実施例に基づいて説明する。
図１は本発明に係る風呂設備の実施例を示す構成図、図２はコントローラと装置各部との関係を示すブロック図、図３はコントローラによる自動試運転の制御例を示すフローチャートである。
【０００８】
図１において、１０は浴槽で、該浴槽１０から追い焚き循環路２０が風呂加熱缶体３０へ循環するように接続されている。前記追い焚き循環路２０は前記浴槽１０の循環金具１１に接続され、循環ポンプ２１の他、風呂温度センサ２２、水流センサ２３、圧力検知による浴槽水位センサ２４が設けられている。また前記風呂加熱缶体３０には熱交換器３１、バーナ３２等が設けられている。
４０は給湯器で、熱交換器４１、バーナ４２等が設けられ、入水管４３から入った水が熱交換器４１を通る間に加熱され、温水となって給湯管４４に出湯する。給湯管４４からは自動落とし込み路４５が設けられ、該自動落とし込み路４５は途中に開閉弁４６、流量センサ４７、逆止弁４８を介して前記追い焚き循環路２０に接続している。
５０はコントローラで、６０はリモコンである。コントローラ５０は、図２も参照して、マイコン５１、メモリ５２、入出力回路５３等からなり、前記リモコン６０や各センサ２２、２３、２４等からの指令、情報を入力し、所定のソフトウエアによって所定の演算、判定、記憶を行い、また所定の命令を循環ポンプ２１、バーナ３２、４２、開閉弁４６等の負荷に対して出力する。
【０００９】
風呂の追い焚き運転では、コントローラ５０によって循環ポンプ２１が駆動され、浴槽１０内の水が循環金具１１から追い焚き循環路２０を通って風呂加熱缶体３０の熱交換器３１内を通る間にバーナ３２によって加熱され、風呂温度センサ２２によって浴槽水が所定の温度まで追い焚きされると追い焚き運転が終了する。
また浴槽への自動落とし込み運転では、リモコン６０において、所定の水位を設定して自動落とし込みスイッチをオンすることにより、自動落とし込み路４５の開閉弁４６か開放され、給湯器４０から温水若しくは非加熱水が自動落とし込み路４５を通って追い焚き循環路２０に入り、さらに浴槽１０へ導入せられる。浴槽水位センサ２４が設定した水位を検出すると、開閉弁４６が閉止されて自動落とし込みが終了する。落とし込み途中における適当な時期に循環ポンプ２１を短時間駆動し、これによって追い焚き循環路２０内のエアーを一掃して浴槽水位センサ２４による正確な水位を検出できるようにしてもよい。
【００１０】
図３のフローチャートに沿って、コントローラ５０による自動試運転の制御機構を説明する。
今、作業者等が図１に示す浴槽設備を設置施工した後、コントローラ５０やリモコン６０等に設けられた自動試運転スイッチをオンすることで、自動試運転指令が出されると（Ｓ１でイエス）、コントローラ５０は、先ず循環ポンプ２１を一定時間駆動し、追い焚き循環路２０の水流センサ２３が水流を検出するか否かを監視して、浴槽１０内に追い焚き循環路２０へ循環することができる水位以上の残水が有るか否かを循環判定する（Ｓ２）。そして循環判定可能な水位の残水が浴槽１０内に有る場合には（Ｓ２でイエス）、コントローラ５０はリモコン６０等の表示部に対して試運転不可表示を指令し（Ｓ３）、試運転を終了する。一方、前記ステップＳ２で、水位が循環可能水位未満、即ち否と判定した場合には、コントローラ５０は、給湯器４０の自動落とし込み路４５の開閉弁４６を開放し、必要に応じて温水若しくは非加熱水（水）の浴槽１０への落とし込みを開始する（Ｓ４）。
【００１１】
前記給湯器４０による温水若しくは非加熱水の浴槽への落とし込みが開始されると、コントローラ５０は、浴槽水位センサ２４の検出値に変化が生じるのを監視する（Ｓ５）。そして浴槽１０の循環金具１１よりも少し上の水位となるような水量として予め定めた一定水量が落とし込まれても、前記浴槽水位センサ２４の検出値に変化が生じない場合には（Ｓ５でノー、Ｓ６でイエス）、さらにコントローラ５０は一旦落とし込みを停止して、循環ポンプ２１の駆動と水流センサ２３による水流検出の有無をみる循環判定を行なう（Ｓ７）。この循環判定をＮ回繰り返しても水流センサ２３が水流を検出しない場合には（Ｓ７でノー、Ｓ８でイエス）、試運転不良表示１を行う（Ｓ９）。この試運転不良表示１によって、主として水漏れ不良、水流センサ不良等が推定される。前記Ｎ回は２〜３回以内とし、気泡等によって水流センサ２３が作動しない場合を除くようにする。
【００１２】
前記ステップＳ５において、浴槽１０の循環金具１１よりも少し上の水位となるような水量として予め定めた一定水量の全量が落とし込まれる前に、浴槽水位センサ２４に変化が生じた場合には、コントローラ５０は、その変化の変曲点をとらえて、その時点から更に水位が前記循環金具１１を少し越えるであろう量の一定の水量を落とし込み、そのときに浴槽水位センサ２４が検出した検出値（例えば電気的な値）を、前記循環金具１１を少し越えた浴槽水位を現すものとして取得し、これを基準水位とする（Ｓ１０）。
前記において、落とし込みにより浴槽水位が前記循環金具１１の付近に達してくると、追い焚き循環路２０に設けられた浴槽水位センサ２４に対しても浴槽１０内の水による水圧が加わってくるので、浴槽水位センサ２４の検出値がそれまでと較べて顕著に増加してくる等、検出値に大きな変化が生じる。この変化の開始点が変曲点であり、浴槽水位がほぼ追い焚き循環のできるレベルに近づいたことを示す。よってコントローラ５０は検出値の変化の変曲点を検出した時点から、さらに水位が前記循環金具１１を少し越えるであろう量の一定の水量を落とし込むこととし、その一定量を落とし込んだ際の浴槽水位センサ２４の検出する検出値を得て、これを前記循環金具１１を少し越えた浴槽水位を現すものとして、基準水位とするのである。このようにして基準水位と検出値との対応が成ると、種々の浴槽設定水位に対して検出値を対応づけることができ、浴槽水位を検出することができる。
尚、前記循環金具１１を少し越えるであろう量の一定の水量を落とし込んだ後、浴槽水位センサ２４による水位検出を行う前に循環ポンプ２１を駆動して循環判定を行い、循環判定可能となったことを確認するようにしてもよい。
【００１３】
前記ステップＳ７における循環判定で、水流センサ２３が水流を検出することによって、循環判定がＯＫとされた場合には（Ｓ７でイエス）、コントローラ５０は基準水位を検出する（Ｓ１０）。この場合には、既に浴槽１０の循環金具１１よりも少し上の水位となるような水量として予め定めた一定水量が落とし込まれているので（Ｓ６）、前記循環判定がＯＫとされた時点で、新たな水量を落とし込むことなく浴槽水位センサ２４の検出する検出値を取り入れ、この検出値をもって上記の場合と同様に基準水位とする。
【００１４】
前記ステップＳ１０で基準水位を検出した後、コントローラ５０は落とし込みを続け、浴槽水位と落とし込み水量を浴槽水位センサ２４と流量センサ４７からの情報でもって監視し、予め定めた一定の最大水量を越えても浴槽水位センサ２４が予め定めた設定水位を検出しない場合には（Ｓ１１でノー、Ｓ１２でイエス）、試運転不良表示２をリモコン６０等の表示部に指令（Ｓ１３）し、落とし込みを終了し（Ｓ１７）、試運転を終了する。
前記予め定めた最大水量とは、例えば浴槽の内容量に対応する水量として予め定めておくことができる。また前記予め定めた設定水位とは、例えば浴槽水位として入浴に適した充分な水位として予め定めておくことができる。
前記試運転不良表示２によって、主として水漏れ不良、浴槽水位センサ２４不良等が推定される。
【００１５】
一方、前記一定の最大水量以下で浴槽水位センサ２４が予め定めた設定水位を検出した場合には（Ｓ１１でイエス、Ｓ１２でノー）、コントローラ５０はさらに、予め定めた一定の最小水量以上で設定水位を検出したか否かを判定し（Ｓ１４）、否の場合（Ｓ１４でノー）には、試運転完了表示のみをリモコン６０等の表示部に指令し（Ｓ１５）、落とし込みを終了し（Ｓ１７）、試運転を終了する。
前記予め定めた一定の最小水量とは、その様な水量を落とし込むだけでは到底設定水位にはならないような水量として予め定めることができる。このような最小水量未満で浴槽水位センサ２４が所定水位を検出する場合には、水漏れ等はないが、自動落とし込みの他に浴槽１０への通常の給湯栓等が開いて、他の水等が同時に落とし込まれている場合や、浴槽水位センサ２４の故障等が推定され、よって前記検出した基準水位も、循環金具１１を少し越えた水位を現すものとして、必ずしも正しいとは言えないので、基準水位を記憶することはしないようにしている。
【００１６】
ステップＳ１４で、イエスの場合、即ち最大水量以下でしかも一定の最小水量以上で浴槽水位センサ２４が予め定めた設定水位を検出した場合には、コントローラ５０は試運転完了表示を指令すると共に、前記検出した基準水位を検出値に対応させて、記憶する（Ｓ１６）。そして落とし込みを終了する（Ｓ１７）。前記記憶は不揮発性メモリに記憶することで、停電等があった後においても同じ基準水位を用いることができる。
最大水量以下で最小水量以上の水量で浴槽水位センサ２４が設定水位を検出する場合には、予定の水量で予定の設定水位に達したと判断することができるので、前記浴槽水位が追い焚き循環路２０へ循環できる水位になったとされたときに浴槽水位センサ２４によって検出された検出値も、追い焚き循環路２０への循環が可能となる実際の浴槽１０の水位を現すものとしてほぼ正しいと判断することができるので、この検出値をもって基準水位として記憶しておくことによって、以後この基準水位を用いて必要水位への自動落とし込みを容易に行うことができる。
【００１７】
【発明の効果】
本発明は以上の構成よりなり、請求項１に記載の風呂設備の自動試運転装置によれば、自動試運転指令が有ると、先ず前記循環ポンプを一定時間駆動させて、浴槽内に追い焚き循環路へ循環することができる水位以上の残水が有るか否かを判定し、有りの場合には試運転不可表示を行い、否の場合には更に給湯器による浴槽への落とし込みを開始させ、先ず浴槽の循環金具より少し上の水位になるような予め定めた一定水量の落とし込みを行いながら、浴槽水位センサの検出値に変化が生じるのを監視し、前記一定水量を落とし込んでも浴槽水位センサの検出値に変化が生じない場合には、さらに循環判定を行い、この循環判定によっても水流を検出しない場合には試運転不良表示を行うコントローラを設けたので、風呂設備の設置施工後における試運転を自動試運転スイッチをオンするだけで、自動的に行うことができ、しかも残水の程度を検出して自動試運転ができるか否かの判断から、水位変化の有無から水漏れや水流センサの故障等を推定させる試運転不良の判定を自動的に得ることができるので、人手、手間、熟練を必要とせず、非常に簡単に短時間で効率よく試運転ができる。
また請求項２に記載の風呂設備の自動試運転装置によれば、請求項１に記載の構成による効果に加えて、浴槽の循環金具より少し上の水位になるような予め定めた一定水量の落とし込みの開始後に、浴槽水位センサの検出値に変化が生じた場合又は浴槽水位センサの検出値には変化が生じなかったが循環判定で水流を検出した場合には、前記循環金具より少し上になったとされる水位に対応する浴槽水位センサの検出値を基準水位として得、さらに落とし込みを続けて、その後予め定めた最大水量以下で且つ予め定めた一定の最小水量以上の範囲で予め定めた設定水位を検出した場合には、試運転完了表示を行うと共に前記検出値を基準水位として記憶するようにし、前記最小水量未満で前記設定水位を検出した場合には試運転完了表示のみを行い、前記最大水量を越えても設定水位を検出しない場合には試運転不良表示を行うコントローラを設けたので、自動試運転において、自動落とし込みの基準となる基準水位を適切な条件下で自動的に得ることができ、該基準水位を用いることで、以後設定水位を確実に且つ安定して自動落とし込みすることができる。
また最大水量を越えても設定水位を検出しない場合の試運転不良表示により、水漏れや浴槽水位センサの故障等を推定させる試運転不良の判定を自動的に得ることができる。
また最小水量未満で設定水位を検出するような場合の試運転完了のみの表示により、水漏れ等はなく一応試運転はできたが、自動落とし込みの他に他の水等が同時に落とし込まれている場合や、浴槽水位センサの故障等を推定させる判断を自動的に得ることがきる。
【図面の簡単な説明】
【図１】本発明に係る風呂設備の実施例を示す構成図である。
【図２】コントローラと装置各部との関係を示すブロック図である。
【図３】コントローラによる自動試運転の制御例を示すフローチャートである。
【符号の説明】
１０  浴槽
１１  循環金具
２０  追い焚き循環路
２１  循環ポンプ
２２  風呂温度センサ
２３  水流センサ
２４  浴槽水位センサ
３０  風呂加熱缶体
４０  給湯器
４５    自動落とし込み路
４７  流量センサ
５０  コントローラ
【図１】
0003551513.tif 000002
【図２】
0003551513.tif 000003
【図３】
0003551513.tif 000004